(57)【要約】【課題】省スペース化と施工性の向上を図るとともに、機器より発生する騒音を低減し浴室、その他の居住空間および屋外への排気騒音を低減する。【解決手段】換気空調装置内部に冷媒回路を構成する圧縮機２７、第一熱交換器２８、膨張機構２９、第二熱交換器３０をすべて収納し、省スペース化や施工性の向上を図るとともに、本体６内の騒音源から発生する音を検出して電気信号へ変換し出力するセンサーマイクロフォン４５、４８、４９と、入力される電気信号に基づいて発音するスピーカ４６、５０〜５５と、前記センサーマイクロフォン４５、４８、４９から出力された電気信号と逆位相の電気信号を発生させるとともに前記スピーカ４６、５０〜５５へ出力するアクティブノイズコントローラ４１を備えたことにより、機器の騒音低減を図る。【選択図】図２
2008232493.tif 000002
【特許請求の範囲】
【請求項１】
吸込口から空気を吸い込んで浴室に開口した吹出口から空気を吹き出す循環ファンと、排気口もしくは吸込口から空気を吸い込んで屋外に排出することで換気を行う換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第ニ熱交換器と、前記圧縮機、前記第一熱交換器、前記膨張機構、前記第二熱交換器の順に冷媒が循環するように配管した冷媒回路とを備え、本体内の騒音源から発生する音を検出して電気信号へ変換し出力するセンサーマイクロフォンと、入力される電気信号に基づいて発音するスピーカと、前記センサーマイクロフォンから出力された電気信号と逆位相の電気信号を発生させるとともに前記スピーカへ出力するアクティブノイズコントローラを備えたことを特徴とする浴室空調装置。
【請求項２】
本体を第一熱交換器および循環ファンを収納する第一区画と、第二熱交換器および換気ファンを収納する第二区画と、圧縮機および冷媒回路および膨張機構を収納する第三区画に分割し、センサーマイクロフォンを第三区画の騒音源近傍に配設し、スピーカをセンサーマイクロフォンより浴室に近い位置や排気ダクトに近い位置に配設したことを特徴とする請求項１記載の浴室空調装置。
【請求項３】
センサーマイクロフォンを第三区画の騒音源近傍に配設し、スピーカをセンサーマイクロフォンより浴室に近い第一区画の循環ファン吹出口近傍に配設したことを特徴とする請求項１、２のいずれかに記載の浴室空調装置。
【請求項４】
センサーマイクロフォンを第三区画の騒音源近傍に配設し、スピーカをセンサーマイクロフォンより浴室に近い第一区画の循環ファン吸込口近傍に配設したことを特徴とする請求項１、２のいずれかに記載の浴室空調装置。
【請求項５】
センサーマイクロフォンを第三区画の騒音源近傍に配設し、スピーカをセンサーマイクロフォンより排気ダクトに近い第二区画の換気ファン吹出口近傍に配設したことを特徴とする請求項１、２のいずれかに記載の浴室空調装置。
【請求項６】
センサーマイクロフォンを第三区画の騒音源近傍に配設し、スピーカをセンサーマイクロフォンより排気ダクトに近い第二区画の換気ファン吸込口近傍に配設したことを特徴とする請求項１、２記載の浴室空調装置。
【請求項７】
センサーマイクロフォンを第一区画の騒音源近傍に配設し、スピーカをセンサーマイクロフォンより浴室に近い位置や排気ダクトに近い位置に配設したことを特徴とする請求項１記載の浴室空調装置。
【請求項８】
センサーマイクロフォンを第一区画の騒音源近傍に配設し、スピーカをセンサーマイクロフォンより浴室に近い第一区画の循環ファン吹出口近傍に配設したことを特徴とする請求項１、７のいずれかに記載の浴室空調装置。
【請求項９】
センサーマイクロフォンを第一区画の騒音源近傍に配設し、スピーカをセンサーマイクロフォンより浴室に近い第一区画の循環ファン吸込口近傍に配設したことを特徴とする請求項１、７のいずれかに記載の浴室空調装置。
【請求項１０】
センサーマイクロフォンを第二区画の騒音源近傍に配設し、スピーカをセンサーマイクロフォンより浴室に近い位置や排気ダクトに近い位置に配設したことを特徴とする請求項１記載の浴室空調装置。
【請求項１１】
センサーマイクロフォンを第二区画の騒音源近傍に配設し、スピーカをセンサーマイクロフォンより浴室に近い第二区画の換気ファン吸込口近傍に配設したことを特徴とする請求項１、１０のいずれかに記載の浴室空調装置。
【請求項１２】
センサーマイクロフォンを第二区画の騒音源近傍に配設し、スピーカをセンサーマイクロフォンより排気ダクトに近い第二区画の換気ファン吹出口近傍に配設したことを特徴とする請求項１、１０のいずれかに記載の浴室空調装置。
【請求項１３】
センサーマイクロフォンを第二区画の騒音源近傍に配設し、スピーカをセンサーマイクロフォンより排気ダクトに近い第二区画の換気ファン吸込口近傍に配設したことを特徴とする請求項１、１０のいずれかに記載の浴室空調装置。
【請求項１４】
スピーカよりさらに騒音源から離れた位置に騒音源より発生した音がスピーカから発音された逆位相の音により低減されたことを確認するとともにアクティブノイズコントローラからスピーカへの出力を補正するためのモニターマイクロフォンを備えたことを特徴とする請求項１乃至１３のいずれかに記載の浴室空調装置。
【請求項１５】
センサーマイクロフォンを第三区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことを特徴とする請求項１４記載の浴室空調装置。
【請求項１６】
センサーマイクロフォンを第三区画の騒音源近傍に配設し、スピーカをセンサーマイクロフォンより浴室に近い第一区画の循環ファン吹出口近傍に配設し、モニターマイクロフォンをスピーカより浴室に近い第一区画の本体グリル表面近傍に配設したことを特徴とする請求項１４、１５のいずれかに記載の浴室空調装置。
【請求項１７】
センサーマイクロフォンを第三区画の騒音源近傍に配設し、スピーカをセンサーマイクロフォンより浴室に近い第一区画の循環ファン吸込口近傍に配設し、モニターマイクロフォンをスピーカより浴室に近い第一区画の本体グリル表面近傍に配設したことを特徴とする請求項１４、１５のいずれかに記載の浴室空調装置。
【請求項１８】
センサーマイクロフォンを第三区画の騒音源近傍に配設し、スピーカをセンサーマイクロフォンより排気ダクトに近い第二区画の換気ファン吹出口近傍に配設し、モニターマイクロフォンをスピーカより排気ダクトに近い第二区画の排気ダクト接続部近傍に配設したことを特徴とする請求１４、１５のいずれかに記載の浴室空調装置。
【請求項１９】
センサーマイクロフォンを第三区画の騒音源近傍に配設し、スピーカをセンサーマイクロフォンより排気ダクトに近い第二区画の換気ファン吸込口近傍に配設し、モニターマイクロフォンをスピーカより排気ダクトに近い第二区画の排気ダクト接続部近傍に配設したことを特徴とする請求項１４、１５のいずれかに記載の浴室空調装置。
【請求項２０】
センサーマイクロフォンを第一区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことを特徴とする請求項１４記載の浴室空調装置。
【請求項２１】
センサーマイクロフォンを第一区画の騒音源近傍に配設し、スピーカをセンサーマイクロフォンより浴室に近い第一区画の循環ファン吹出口近傍に配設し、モニターマイクロフォンをスピーカより浴室に近い第一区画の本体グリル表面近傍に配設したことを特徴とする請求項１４、２０のいずれかに記載の浴室空調装置。
【請求項２２】
センサーマイクロフォンを第一区画の騒音源近傍に配設し、スピーカをセンサーマイクロフォンより浴室に近い第一区画の循環ファン吸込口近傍に配設し、モニターマイクロフォンをスピーカより浴室に近い第一区画の本体グリル表面近傍に配設したことを特徴とする請求項１４、２０のいずれかに記載の浴室空調装置。
【請求項２３】
センサーマイクロフォンを第二区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことを特徴とする請求項１４記載の浴室空調装置。
【請求項２４】
センサーマイクロフォンを第二区画の騒音源近傍に配設し、スピーカをセンサーマイクロフォンより浴室に近い第二区画の換気ファン吸込口近傍に配設し、モニターマイクロフォンをスピーカより浴室に近い第二区画の本体グリル表面近傍に配設したことを特徴とする請求項１４、２３のいずれかに記載の浴室空調装置。
【請求項２５】
センサーマイクロフォンを第二区画の騒音源近傍に配設し、スピーカをセンサーマイクロフォンより排気ダクトに近い第二区画の換気ファン吹出口近傍に配設し、モニターマイクロフォンをスピーカより排気ダクトに近い第二区画の排気ダクト接続部近傍に配設したことを特徴とする請求項１４、２３のいずれかに記載の浴室空調装置。
【請求項２６】
センサーマイクロフォンを第二区画の騒音源近傍に配設し、スピーカをセンサーマイクロフォンより排気ダクトに近い第二区画の換気ファン吸込口近傍に配設し、モニターマイクロフォンをスピーカより排気ダクトに近い第二区画の排気ダクト接続部近傍に配設したことを特徴とする請求項１４、２３のいずれかに記載の浴室空調装置。
【請求項２７】
本体内の上方に圧縮機、第一熱交換器、循環ファン、第二熱交換器、換気ファン等の冷凍サイクル部品および送風手段を配設し、本体内下方に空間を設けてセンサーマイクロフォン、スピーカおよびモニターマイクロフォンを配設したことを特徴とする請求項１乃至２６のいずれかに記載の浴室空調装置。
【請求項２８】
循環ファンによる吸込み、吹出しおよび換気ファンによる吸込み、吹出しを送風ダクトを用いておこない、ダクト内にセンサーマイクロフォン、スピーカおよびモニターマイクロフォンを配設したことを特徴とする浴室空調装置。
【請求項２９】
圧縮機の運転周波数より圧縮機から発せられる音を推定し、推定される音の逆位相の電気信号を発生させるとともにスピーカへ出力するアクティブノイズコントローラを備えたことを特徴とする浴室空調装置。
【請求項３０】
ファンモータの回転数よりファンから発せられる音を推定し、推定される音の逆位相の電気信号を発生させるとともにスピーカへ出力するアクティブノイズコントローラを備えたことを特徴とする浴室空調装置。
【請求項３１】
浴室内の既存の発音可能な設備と連動し、アクティブノイズコントローラよりセンサーマイクロフォンで検出した騒音の逆位相の電気信号を既存設備のスピーカへ出力し発音することを特徴とする請求項１乃至２４のいずれかに記載の浴室空調装置。
【発明の詳細な説明】
【技術分野】
【０００１】
本発明は、ヒートポンプを利用して浴室などの居住空間の換気空調を行う換気空調装置に関する。
【背景技術】
【０００２】
従来のヒートポンプを利用した浴室など居住空間の換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
また、ヒートポンプを室外機と室内機に分離し、室外機に設けた熱交換器において外気から吸熱（または放熱）を行い、室内機に設けた熱交換器において浴室の空気に放熱（または吸熱）することで浴室を空調するものもある（例えば、特許文献２参照）。
【特許文献１】特開２００５−１８０７１２号公報
【特許文献２】特開２００２−３４９９３０号公報
【発明の開示】
【発明が解決しようとする課題】
【０００４】
以上のようにヒートポンプを利用した換気空調装置は、様々な形態のものが提案されている。特許文献１に例示される浴室空調装置は、圧縮機および熱交換器を本体内に収納することにより室内機と室外機を一体型としたものであるが、圧縮機を本体内に設置するため浴室内の騒音が大きいという課題があった。
【０００５】
また、浴室以外の場所、例えば脱衣室を空調しようとすると、風路例えばダクトを通って圧縮機の音が伝播し、浴室以外の場所でも騒音が大きいという課題があった。
【０００６】
また、特許文献２に例示される浴室空調装置は、圧縮機が室外側に設置されるため屋内での圧縮機の騒音は低いが、ヒートポンプを浴室内と室外に分離しているため、各々を接続するための冷媒配管工事が必要となり施工性が悪く、室外機のスペースも必要になるという課題があった。
【０００７】
本発明は上記従来の課題を解決するものであり、浴室での騒音を低減することができ、また、浴室以外の空調をしようとする居住空間、例えば脱衣室での騒音を低減することができ、さらに省スペースと施工性の向上を図ることができる換気空調装置を提供することを目的としている。
【課題を解決するための手段】
【０００８】
上記した目的を達成するために、本発明が講じた第１の課題解決手段は、吸込口から空気を吸い込んで浴室に開口した吹出口から空気を吹き出す循環ファンと、排気口もしくは吸込口から空気を吸い込んで屋外に排出することで換気を行う換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第ニ熱交換器と、前記圧縮機、前記第一熱交換器、前記膨張機構、前記第二熱交換器の順に冷媒が循環するように配管した冷媒回路とを備え、本体内の騒音源である圧縮機、循環ファンおよび換気ファンなどから発生する音を検出して電気信号へ変換し出力するセンサーマイクロフォンと、入力される電気信号に基づいて発音するスピーカと、前記センサーマイクロフォンから出力された電気信号と逆位相の電気信号を発生させるとともに前記スピーカへ出力するアクティブノイズコントローラを備えたことを特徴とするものである。
【０００９】
また、第２の課題解決手段は、本体を第一熱交換器および循環ファンを収納する第一区画と、第二熱交換器および換気ファンを収納する第二区画と、圧縮機および冷媒回路および膨張機構を収納する第三区画に分割し、センサーマイクロフォンを第三区画の騒音源近傍に配設し、スピーカをセンサーマイクロフォンより浴室に近い位置や排気ダクトに近い位置に配設したことを特徴とするものである。
【００１０】
また、第３の課題解決手段は、センサーマイクロフォンを第三区画の騒音源である圧縮機近傍に配設し、スピーカをセンサーマイクロフォンより浴室に近い第一区画の吹出口近傍に配設したことを特徴とするものである。
【００１１】
また、第４の課題解決手段は、センサーマイクロフォンを第三区画の騒音源である圧縮機近傍に配設し、スピーカをセンサーマイクロフォンより浴室に近い第一区画の吸込口近傍に配設したことを特徴とするものである。
【００１２】
また、第５の課題解決手段は、センサーマイクロフォンを第三区画の騒音源である圧縮機近傍に配設し、スピーカをセンサーマイクロフォンより排気ダクトに近い第二区画の換気ファン吹出口近傍に配設したことを特徴とするものである。
【００１３】
また、第６の課題解決手段は、センサーマイクロフォンを第三区画の騒音源である圧縮機近傍に配設し、スピーカをセンサーマイクロフォンより排気ダクトに近い第二区画の換気ファン吸込口近傍に配設したことを特徴とするものである。
【００１４】
また、第７の課題解決手段は、センサーマイクロフォンを第一区画の騒音源近傍に配設し、スピーカをセンサーマイクロフォンより浴室に近い位置や排気ダクトに近い位置に配設したことを特徴とするものである。
【００１５】
また、第８の課題解決手段は、センサーマイクロフォンを第一区画の騒音源である循環ファン近傍に配設し、スピーカをセンサーマイクロフォンより浴室に近い第一区画の循環ファン吹出口近傍に配設したことを特徴とするものである。
【００１６】
また、第９の課題解決手段は、センサーマイクロフォンを第一区画の騒音源である循環ファン近傍に配設し、スピーカをセンサーマイクロフォンより浴室に近い第一区画の吸込口近傍に配設したことを特徴とするものである。
【００１７】
また、第１０の課題解決手段は、センサーマイクロフォンを第二区画の騒音源近傍に配設し、スピーカをセンサーマイクロフォンより浴室に近い位置や排気ダクトに近い位置に配設したことを特徴とするものである。
【００１８】
また、第１１の課題解決手段は、センサーマイクロフォンを第二区画の騒音源である換気ファン近傍に配設し、スピーカをセンサーマイクロフォンより浴室に近い第二区画の換気ファン吸込口近傍に配設したことを特徴とするものである。
【００１９】
また、第１２の課題解決手段は、センサーマイクロフォンを第二区画の騒音源である換気ファン近傍に配設し、スピーカをセンサーマイクロフォンより排気ダクトに近い第二区画の換気ファン吹出口近傍に配設したことを特徴とするものである。
【００２０】
また、第１３の課題解決手段は、センサーマイクロフォンを第二区画の騒音源である換気ファン近傍に配設し、スピーカをセンサーマイクロフォンより排気ダクトに近い第二区画の換気ファン吸込口近傍に配設したことを特徴とするものである。
【００２１】
また、第１４の課題解決手段は、スピーカよりさらに騒音源から離れた位置に騒音源より発生した音がスピーカから発音された逆位相の音により低減されたことを確認するとともにアクティブノイズコントローラからスピーカへの出力を補正するためのモニターマイクロフォンを備えたことを特徴とするものである。
【００２２】
また、第１５の課題解決手段は、センサーマイクロフォンを第三区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことを特徴とするものである。
【００２３】
また、第１６の課題解決手段は、センサーマイクロフォンを第三区画の騒音源である圧縮機近傍に配設し、スピーカをセンサーマイクロフォンより浴室に近い第一区画の循環ファン吹出口近傍に配設し、モニターマイクロフォンをスピーカより浴室に近い第一区画の本体グリル表面近傍に配設したことを特徴とするものである。
【００２４】
また、第１７の課題解決手段は、センサーマイクロフォンを第三区画の騒音源である圧縮機近傍に配設し、スピーカをセンサーマイクロフォンより浴室に近い第一区画の循環ファン吸込口近傍に配設し、モニターマイクロフォンをスピーカより浴室に近い第一区画の本体グリル表面近傍に配設したことを特徴とするものである。
【００２５】
また、第１８の課題解決手段は、センサーマイクロフォンを第三区画の騒音源である圧縮機近傍に配設し、スピーカをセンサーマイクロフォンより排気ダクトに近い第二区画の換気ファン吹出口近傍に配設し、モニターマイクロフォンをスピーカより排気ダクトに近い第二区画の排気ダクト接続部近傍に配設したことを特徴とするものである。
【００２６】
また、第１９の課題解決手段は、センサーマイクロフォンを第三区画の騒音源である圧縮機近傍に配設し、スピーカをセンサーマイクロフォンより排気ダクトに近い第二区画の換気ファン吸込口近傍に配設し、モニターマイクロフォンをスピーカより排気ダクトに近い第二区画の排気ダクト接続部近傍に配設したことを特徴とするものである。
【００２７】
また、第２０の課題解決手段は、センサーマイクロフォンを第一区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことを特徴とするものである。
【００２８】
また、第２１の課題解決手段は、センサーマイクロフォンを第一区画の騒音源である循環ファン近傍に配設し、スピーカをセンサーマイクロフォンより浴室に近い第一区画の循環ファン吹出口近傍に配設し、モニターマイクロフォンをスピーカより浴室に近い第一区画の本体グリル表面近傍に配設したことを特徴とするものである。
【００２９】
また、第２２の課題解決手段は、センサーマイクロフォンを第一区画の騒音源である循環ファン近傍に配設し、スピーカをセンサーマイクロフォンより浴室に近い第一区画の循環ファン吸込口近傍に配設し、モニターマイクロフォンをスピーカより浴室に近い第一区画の本体グリル表面近傍に配設したことを特徴とするものである。
【００３０】
また、第２３の課題解決手段は、センサーマイクロフォンを第二区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことを特徴とするものである。
【００３１】
また、第２４の課題解決手段は、センサーマイクロフォンを第二区画の騒音源である換気ファン近傍に配設し、スピーカをセンサーマイクロフォンより浴室に近い第二区画の換気ファン吸込口近傍に配設し、モニターマイクロフォンをスピーカより浴室に近い第二区画の本体グリル表面近傍に配設したことを特徴とするものである。
【００３２】
また、第２５の課題解決手段は、センサーマイクロフォンを第二区画の騒音源である換気ファン近傍に配設し、スピーカをセンサーマイクロフォンより排気ダクトに近い第二区画の換気ファン吹出口近傍に配設し、モニターマイクロフォンをスピーカより排気ダクトに近い第二区画の排気ダクト接続部近傍に配設したことを特徴とするものである。
【００３３】
また、第２６の課題解決手段は、センサーマイクロフォンを第二区画の騒音源である換気ファン近傍に配設し、スピーカをセンサーマイクロフォンより排気ダクトに近い第二区画の換気ファン吸込口近傍に配設し、モニターマイクロフォンをスピーカより排気ダクトに近い第二区画の排気ダクト接続部近傍に配設したことを特徴とするものである。
【００３４】
また、第２７の課題解決手段は、本体内の上方に圧縮機、第一熱交換器、循環ファン、第二熱交換器、換気ファン等の冷凍サイクル部品および送風手段を配設し、本体内下方に空間を設けてセンサーマイクロフォン、スピーカおよびモニターマイクロフォンを配設したことを特徴とするものである。
【００３５】
また、第２８の課題解決手段は、循環ファンによる吸込み、吹出しおよび換気ファンによる吸込み、吹出しを送風ダクトを用いておこない、ダクト内にセンサーマイクロフォン、スピーカおよびモニターマイクロフォンを配設したことを特徴とするものである。
【００３６】
また、第２９の課題解決手段は、圧縮機の運転周波数より圧縮機から発せられる音を推定し、推定される音の逆位相の電気信号を発生させるとともにスピーカへ出力するアクティブノイズコントローラを備えたことを特徴とするものである。
【００３７】
また、第３０の課題解決手段は、ファンモータの回転数よりファンから発せられる音を推定し、推定される音の逆位相の電気信号を発生させるとともにスピーカへ出力するアクティブノイズコントローラを備えたことを特徴とするものである。
【００３８】
また、第３１の課題解決手段は、浴室内の既存の発音可能な設備と連動し、アクティブノイズコントローラよりセンサーマイクロフォンで検出した騒音の逆位相の電気信号を既存設備のスピーカへ出力し発音することを特徴とするものである。
【発明の効果】
【００３９】
本発明の換気空調装置によれば、室内外を接続するための冷媒配管工事を不要にして省スペース化と施工性を向上させることができるとともに、機器の騒音低減を図ることができる。
【００４０】
そして請求項１記載の換気空調装置では、騒音源の近傍に配設したセンサーマイクロフォンにより騒音源から発生する音を検出し、スピーカから騒音を低減したい方向へセンサーマイクロフォンで検出した騒音と逆位相の音を発音することにより、騒音源から発生した騒音を消音することができ、機器の騒音低減を図ることができる。
【００４１】
また、本体を第一熱交換器および循環ファンを収納する第一区画と、第二熱交換器および換気ファンを収納する第二区画と、圧縮機および冷媒回路および膨張機構を収納する第三区画に分割し、第三区画の騒音源近傍に配設したセンサーマイクロフォンにより騒音源から発生する音を検出し、スピーカをセンサーマイクロフォンより浴室に近い位置や排気ダクトに近い位置に配設し、スピーカからセンサーマイクロフォンで検出した騒音と逆位相の音を発音することにより、騒音源から浴室内や排気ダクトへ伝播する騒音を消音することができ、機器の騒音低減を図ることができる。
【００４２】
また、第三区画の騒音源例えば圧縮機の近傍に配設したセンサーマイクロフォンにより騒音源例えば圧縮機から発生する音を検出し、スピーカをセンサーマイクロフォンより浴室に近い第一区画の循環ファン吹出口近傍に配設し、スピーカからセンサーマイクロフォンで検出した騒音と逆位相の音を発音することにより、騒音源例えば圧縮機から浴室内へ伝播する騒音を消音することができ、機器の騒音低減を図ることができる。
【００４３】
また、第三区画の騒音源例えば圧縮機の近傍に配設したセンサーマイクロフォンにより騒音源例えば圧縮機から発生する音を検出し、スピーカをセンサーマイクロフォンより浴室に近い第一区画の循環ファン吸込口近傍に配設し、スピーカからセンサーマイクロフォンで検出した騒音と逆位相の音を発音することにより、騒音源例えば圧縮機から浴室内へ伝播する騒音を消音することができ、機器の騒音低減を図ることができる。
【００４４】
また、第三区画の騒音源例えば圧縮機の近傍に配設したセンサーマイクロフォンにより騒音源例えば圧縮機から発生する音を検出し、スピーカをセンサーマイクロフォンより排気ダクトに近い第二区画の換気ファン吹出口近傍に配設し、スピーカからセンサーマイクロフォンで検出した騒音と逆位相の音を発音することにより、騒音源例えば圧縮機から排気ダクトへ伝播する騒音を消音することができ、機器の騒音低減を図ることができる。
【００４５】
また、第三区画の騒音源例えば圧縮機の近傍に配設したセンサーマイクロフォンにより騒音源例えば圧縮機から発生する音を検出し、スピーカをセンサーマイクロフォンより排気ダクトに近い第二区画の換気ファン吸込口近傍に配設し、スピーカからセンサーマイクロフォンで検出した騒音と逆位相の音を発音することにより、騒音源例えば圧縮機から排気ダクトへ伝播する騒音を消音することができ、機器の騒音低減を図ることができる。
【００４６】
また、第一区画の騒音源近傍に配設したセンサーマイクロフォンにより騒音源から発生する音を検出し、スピーカをセンサーマイクロフォンより浴室に近い位置や排気ダクトに近い位置に配設し、スピーカからセンサーマイクロフォンで検出した騒音と逆位相の音を発音することにより、騒音源から浴室内や排気ダクトへ伝播する騒音を消音することができ、機器の騒音低減を図ることができる。
【００４７】
また、第一区画の騒音源例えば循環ファンの近傍に配設したセンサーマイクロフォンにより騒音源例えば循環ファンから発生する音を検出し、スピーカをセンサーマイクロフォンより浴室に近い第一区画の循環ファン吹出口近傍に配設し、スピーカからセンサーマイクロフォンで検出した騒音と逆位相の音を発音することにより、騒音源例えば循環ファンから浴室内へ伝播する騒音を消音することができ、機器の騒音低減を図ることができる。
【００４８】
また、第一区画の騒音源例えば循環ファンの近傍に配設したセンサーマイクロフォンにより騒音源例えば循環ファンから発生する音を検出し、スピーカをセンサーマイクロフォンより浴室に近い第一区画の循環ファン吸込口近傍に配設し、スピーカからセンサーマイクロフォンで検出した騒音と逆位相の音を発音することにより、騒音源例えば循環ファンから浴室内へ伝播する騒音を消音することができ、機器の騒音低減を図ることができる。
【００４９】
また、第二区画の騒音源近傍に配設したセンサーマイクロフォンにより騒音源から発生する音を検出し、スピーカをセンサーマイクロフォンより浴室に近い位置や排気ダクトに近い位置に配設し、スピーカからセンサーマイクロフォンで検出した騒音と逆位相の音を発音することにより、騒音源から浴室内や排気ダクトへ伝播する騒音を消音することができ、機器の騒音低減を図ることができる。
【００５０】
また、第二区画の騒音源例えば換気ファンの近傍に配設したセンサーマイクロフォンにより騒音源例えば換気ファンから発生する音を検出し、スピーカをセンサーマイクロフォンより浴室に近い第二区画の換気ファン吸込口近傍に配設し、スピーカからセンサーマイクロフォンで検出した騒音と逆位相の音を発音することにより、騒音源例えば換気ファンから浴室内へ伝播する騒音を消音することができ、機器の騒音低減を図ることができる。
【００５１】
また、第二区画の騒音源例えば換気ファンの近傍に配設したセンサーマイクロフォンにより騒音源例えば換気ファンから発生する音を検出し、スピーカをセンサーマイクロフォンより排気ダクトに近い第二区画の換気ファン吹出口近傍に配設し、スピーカからセンサーマイクロフォンで検出した騒音と逆位相の音を発音することにより、騒音源例えば換気ファンから排気ダクトへ伝播する騒音を消音することができ、機器の騒音低減を図ることができる。
【００５２】
また、第二区画の騒音源例えば換気ファンの近傍に配設したセンサーマイクロフォンにより騒音源例えば換気ファンから発生する音を検出し、スピーカをセンサーマイクロフォンより排気ダクトに近い第二区画の換気ファン吸込口近傍に配設し、スピーカからセンサーマイクロフォンで検出した騒音と逆位相の音を発音することにより、騒音源例えば換気ファンから排気ダクトへ伝播する騒音を消音することができ、機器の騒音低減を図ることができる。
【００５３】
また、騒音源の近傍に配設したセンサーマイクロフォンにより騒音源から発生する音を検出し、スピーカから騒音を低減したい方向へセンサーマイクロフォンで検出した騒音と逆位相の音を発音し、スピーカから発音された逆位相の音により騒音が低減されたことを確認するとともにアクティブノイズコントローラからスピーカへの出力を補正するためのモニターマイクロフォンを備えたことにより、騒音源から発生した騒音を効率よく消音することができ、機器の騒音低減を図ることができる。
【００５４】
また、第三区画の騒音源近傍に配設したセンサーマイクロフォンにより騒音源から発生する音を検出し、スピーカをセンサーマイクロフォンより浴室に近い位置や排気ダクトに近い位置に配設し、スピーカからセンサーマイクロフォンで検出した騒音と逆位相の音を発音し、モニターマイクロフォンをスピーカより浴室に近い位置や排気ダクトに近い位置に配設したことにより、騒音源から発生した騒音を効率よく消音することができ、機器の騒音低減を図ることができる。
【００５５】
また、第三区画の騒音源例えば圧縮機の近傍に配設したセンサーマイクロフォンにより騒音源例えば圧縮機から発生する音を検出し、スピーカをセンサーマイクロフォンより浴室に近い第一区画の循環ファン吹出口近傍に配設し、スピーカからセンサーマイクロフォンで検出した騒音と逆位相の音を発音し、モニターマイクロフォンをスピーカより浴室に近い第一区画の本体グリル表面近傍に配設したことにより、騒音源例えば圧縮機から浴室内へ伝播する騒音を効率よく消音することができ、機器の騒音低減を図ることができる。
【００５６】
また、第三区画の騒音源例えば圧縮機の近傍に配設したセンサーマイクロフォンにより騒音源例えば圧縮機から発生する音を検出し、スピーカをセンサーマイクロフォンより浴室に近い第一区画の循環ファン吸込口近傍に配設し、スピーカからセンサーマイクロフォンで検出した騒音と逆位相の音を発音し、モニターマイクロフォンをスピーカより浴室に近い第一区画の本体グリル表面近傍に配設したことにより、騒音源例えば圧縮機から浴室内へ伝播する騒音を効率よく消音することができ、機器の騒音低減を図ることができる。
【００５７】
また、第三区画の騒音源例えば圧縮機の近傍に配設したセンサーマイクロフォンにより騒音源例えば圧縮機から発生する音を検出し、スピーカをセンサーマイクロフォンより排気ダクトに近い第二区画の換気ファン吹出口近傍に配設し、スピーカからセンサーマイクロフォンで検出した騒音と逆位相の音を発音し、モニターマイクロフォンをスピーカより排気ダクトに近い第二区画の排気ダクト接続部近傍に配設したことにより、騒音源例えば圧縮機から排気ダクトへ伝播する騒音を効率よく消音することができ、機器の騒音低減を図ることができる。
【００５８】
また、第三区画の騒音源例えば圧縮機の近傍に配設したセンサーマイクロフォンにより騒音源例えば圧縮機から発生する音を検出し、スピーカをセンサーマイクロフォンより排気ダクトに近い第二区画の換気ファン吸込口近傍に配設し、スピーカからセンサーマイクロフォンで検出した騒音と逆位相の音を発音し、モニターマイクロフォンをスピーカより排気ダクトに近い第二区画の排気ダクト接続部近傍に配設したことにより、騒音源例えば圧縮機から排気ダクトへ伝播する騒音を効率よく消音することができ、機器の騒音低減を図ることができる。
【００５９】
また、第一区画の騒音源近傍に配設したセンサーマイクロフォンにより騒音源から発生する音を検出し、スピーカをセンサーマイクロフォンより浴室に近い位置や排気ダクトに近い位置に配設し、スピーカからセンサーマイクロフォンで検出した騒音と逆位相の音を発音し、モニターマイクロフォンをスピーカより浴室に近い位置や排気ダクトに近い位置に配設したことにより、騒音源から発生した騒音を効率よく消音することができ、機器の騒音低減を図ることができる。
【００６０】
また、第一区画の騒音源例えば循環ファンの近傍に配設したセンサーマイクロフォンにより騒音源例えば循環ファンから発生する音を検出し、スピーカをセンサーマイクロフォンより浴室に近い第一区画の循環ファン吹出口近傍に配設し、スピーカからセンサーマイクロフォンで検出した騒音と逆位相の音を発音し、モニターマイクロフォンをスピーカより浴室に近い第一区画の本体グリル表面近傍に配設したことにより、騒音源例えば循環ファンから浴室内へ伝播する騒音を効率よく消音することができ、機器の騒音低減を図ることができる。
【００６１】
また、第一区画の騒音源例えば循環ファンの近傍に配設したセンサーマイクロフォンにより騒音源例えば循環ファンから発生する音を検出し、スピーカをセンサーマイクロフォンより浴室に近い第一区画の循環ファン吸込口近傍に配設し、スピーカからセンサーマイクロフォンで検出した騒音と逆位相の音を発音し、モニターマイクロフォンをスピーカより浴室に近い第一区画の本体グリル表面近傍に配設したことにより、騒音源例えば循環ファンから浴室内へ伝播する騒音を効率よく消音することができ、機器の騒音低減を図ることができる。
【００６２】
また、第二区画の騒音源近傍に配設したセンサーマイクロフォンにより騒音源から発生する音を検出し、スピーカをセンサーマイクロフォンより浴室に近い位置や排気ダクトに近い位置に配設し、スピーカからセンサーマイクロフォンで検出した騒音と逆位相の音を発音し、モニターマイクロフォンをスピーカより浴室に近い位置や排気ダクトに近い位置に配設したことにより、騒音源から発生した騒音を効率よく消音することができ、機器の騒音低減を図ることができる。
【００６３】
また、第二区画の騒音源例えば換気ファンの近傍に配設したセンサーマイクロフォンにより騒音源例えば換気ファンから発生する音を検出し、スピーカをセンサーマイクロフォンより浴室に近い第二区画の換気ファン吸込口近傍に配設し、スピーカからセンサーマイクロフォンで検出した騒音と逆位相の音を発音し、モニターマイクロフォンをスピーカより浴室に近い第二区画の本体グリル表面近傍に配設したことにより、騒音源例えば換気ファンから浴室内へ伝播する騒音を効率よく消音することができ、機器の騒音低減を図ることができる。
【００６４】
また、第二区画の騒音源例えば換気ファンの近傍に配設したセンサーマイクロフォンにより騒音源例えば換気ファンから発生する音を検出し、スピーカをセンサーマイクロフォンより排気ダクトに近い第二区画の換気ファン吹出口近傍に配設し、スピーカからセンサーマイクロフォンで検出した騒音と逆位相の音を発音し、モニターマイクロフォンをスピーカより排気ダクトに近い第二区画の排気ダクト接続部近傍に配設したことにより、騒音源例えば換気ファンから排気ダクトへ伝播する騒音を効率よく消音することができ、機器の騒音低減を図ることができる。
【００６５】
また、第二区画の騒音源例えば換気ファンの近傍に配設したセンサーマイクロフォンにより騒音源例えば換気ファンから発生する音を検出し、スピーカをセンサーマイクロフォンより排気ダクトに近い第二区画の換気ファン吸込口近傍に配設し、スピーカからセンサーマイクロフォンで検出した騒音と逆位相の音を発音し、モニターマイクロフォンをスピーカより排気ダクトに近い第二区画の排気ダクト接続部近傍に配設したことにより、騒音源例えば換気ファンから排気ダクトへ伝播する騒音を効率よく消音することができ、機器の騒音低減を図ることができる。
【００６６】
また、本体内の上方に圧縮機、第一熱交換器、循環ファン、第二熱交換器、換気ファン等の冷凍サイクル部品および送風手段を配設し、本体内下方にダクトのような空間を設けてセンサーマイクロフォン、スピーカおよびモニターマイクロフォンを配設することにより騒音低減効果を向上させることができる。
【００６７】
また、ダクトを用いた風路構成であり、ダクト内にセンサーマイクロフォン、スピーカおよびモニターマイクロフォンを配設することにより騒音低減効果を向上させることができる。
【００６８】
また、圧縮機の運転周波数より圧縮機から発せられる音を推定し、推定される音の逆位相の電気信号を発生させるとともにスピーカへ出力するアクティブノイズコントローラを備えたことによりセンサーマイクロフォンを使用しなくてもよいという効果を得ることができる。
【００６９】
また、ファンモータの回転数よりファンから発せられる音を推定し、推定される音の逆位相の電気信号を発生させるとともにスピーカへ出力するアクティブノイズコントローラを備えたことによりセンサーマイクロフォンを使用しなくてもよいという効果を得ることができる。
【００７０】
また、浴室内の既存の発音可能な設備例えばテレビ等と連動し、アクティブノイズコントローラよりセンサーマイクロフォンで検出した騒音の逆位相の電気信号を既存設備のスピーカへ出力し発音することにより本体内にスピーカを収納しなくてもよいという効果を得ることができる。
【発明を実施するための最良の形態】
【００７１】
本発明の請求項１記載の浴室空調装置は、換気空調装置内部に冷媒回路を構成する圧縮機、第一熱交換器、膨張機構、第二熱交換器をすべて収納し、省スペース化や施工性の向上を図ることができるとともに、本体内の騒音源から発生する音を検出して電気信号へ変換し出力するセンサーマイクロフォンと、入力される電気信号に基づいて発音するスピーカと、前記センサーマイクロフォンから出力された電気信号と逆位相の電気信号を発生させるとともに前記スピーカへ出力するアクティブノイズコントローラを備えたことにより、騒音源から発生した騒音を消音することができ、機器の騒音低減を図るものである。
【００７２】
また、本体を第一熱交換器および循環ファンを収納する第一区画と、第二熱交換器および換気ファンを収納する第二区画と、圧縮機および冷媒回路および膨張機構を収納する第三区画に分割し、センサーマイクロフォンを第三区画の騒音源例えば圧縮機近傍に配設し、スピーカをセンサーマイクロフォンより浴室に近い位置や排気ダクトに近い位置に配設し、スピーカからセンサーマイクロフォンで検出した騒音と逆位相の音を発音することにより、騒音源から浴室内や排気ダクトへ伝播する騒音を消音することができ、機器の騒音低減を図るものである。
【００７３】
また、センサーマイクロフォンを第三区画の騒音源例えば圧縮機近傍に配設し、スピーカをセンサーマイクロフォンより浴室に近い第一区画の循環ファン吹出口近傍に配設したことにより、騒音源から浴室内へ伝播する騒音を消音することができ、機器の騒音低減を図るものである。
【００７４】
また、センサーマイクロフォンを第三区画の騒音源例えば圧縮機近傍に配設し、スピーカをセンサーマイクロフォンより浴室に近い第一区画の循環ファン吸込口近傍に配設したことにより、騒音源から浴室内へ伝播する騒音を消音することができ、機器の騒音低減を図るものである。
【００７５】
また、センサーマイクロフォンを第三区画の騒音源例えば圧縮機近傍に配設し、スピーカをセンサーマイクロフォンより排気ダクトに近い第二区画の換気ファン吹出口近傍に配設したことにより、騒音源から排気ダクトへ伝播する騒音を消音することができ、機器の騒音低減を図るものである。
【００７６】
また、センサーマイクロフォンを第三区画の騒音源例えば圧縮機近傍に配設し、スピーカをセンサーマイクロフォンより排気ダクトに近い第二区画の換気ファン吸込口近傍に配設したことにより、騒音源から排気ダクトへ伝播する騒音を消音することができ、機器の騒音低減を図るものである。
【００７７】
また、センサーマイクロフォンを第一区画の騒音源例えば循環ファン近傍に配設し、スピーカをセンサーマイクロフォンより浴室に近い位置や排気ダクトに近い位置に配設したことにより、騒音源から浴室内や排気ダクトへ伝播する騒音を消音することができ、機器の騒音低減を図るものである。
【００７８】
また、センサーマイクロフォンを第一区画の騒音源例えば循環ファン近傍に配設し、スピーカをセンサーマイクロフォンより浴室に近い第一区画の循環ファン吹出口近傍に配設したことにより、騒音源から浴室内へ伝播する騒音を消音することができ、機器の騒音低減を図るものである。
【００７９】
また、センサーマイクロフォンを第一区画の騒音源例えば循環ファン近傍に配設し、スピーカをセンサーマイクロフォンより浴室に近い第一区画の循環ファン吸込口近傍に配設したことにより、騒音源から浴室内へ伝播する騒音を消音することができ、機器の騒音低減を図るものである。
【００８０】
また、センサーマイクロフォンを第二区画の騒音源例えば換気ファン近傍に配設し、スピーカをセンサーマイクロフォンより浴室に近い位置や排気ダクトに近い位置に配設したことにより、騒音源から浴室内や排気ダクトへ伝播する騒音を消音することができ、機器の騒音低減を図るものである。
【００８１】
また、センサーマイクロフォンを第二区画の騒音源例えば換気ファン近傍に配設し、スピーカをセンサーマイクロフォンより浴室に近い第二区画の換気ファン吸込口近傍に配設したことにより、騒音源から浴室内へ伝播する騒音を消音することができ、機器の騒音低減を図るものである。
【００８２】
また、センサーマイクロフォンを第二区画の騒音源例えば換気ファン近傍に配設し、スピーカをセンサーマイクロフォンより排気ダクトに近い第二区画の換気ファン吹出口近傍に配設したことにより、騒音源から排気ダクトへ伝播する騒音を消音することができ、機器の騒音低減を図るものである。
【００８３】
また、センサーマイクロフォンを第二区画の騒音源例えば換気ファン近傍に配設し、スピーカをセンサーマイクロフォンより排気ダクトに近い第二区画の換気ファン吸込口近傍に配設したことにより、騒音源から排気ダクトへ伝播する騒音を消音することができ、機器の騒音低減を図るものである。
【００８４】
また、スピーカよりさらに騒音源から離れた位置に騒音源より発生した音がスピーカから発音された逆位相の音により低減されたことを確認するとともにアクティブノイズコントローラからスピーカへの出力を補正するためのモニターマイクロフォンを備えたことにより、騒音低減効果を向上させるものである。
【００８５】
また、センサーマイクロフォンを第三区画の騒音源例えば圧縮機近傍に配設し、スピーカをセンサーマイクロフォンより浴室に近い位置や排気ダクトに近い位置に配設し、騒音源例えば圧縮機より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことにより、騒音低減効果を向上させるものである。
【００８６】
また、センサーマイクロフォンを第三区画の騒音源例えば圧縮機近傍に配設し、スピーカをセンサーマイクロフォンより浴室に近い第一区画の循環ファン吹出口近傍に配設し、モニターマイクロフォンをスピーカより浴室に近い第一区画の本体グリル表面近傍に配設したことにより、騒音低減効果を向上させるものである。
【００８７】
また、センサーマイクロフォンを第三区画の騒音源例えば圧縮機近傍に配設し、スピーカをセンサーマイクロフォンより浴室に近い第一区画の循環ファン吸込口近傍に配設し、モニターマイクロフォンをスピーカより浴室に近い第一区画の本体グリル表面近傍に配設したことにより、騒音低減効果を向上させるものである。
【００８８】
また、センサーマイクロフォンを第三区画の騒音源例えば圧縮機近傍に配設し、スピーカをセンサーマイクロフォンより排気ダクトに近い第二区画の換気ファン吹出口近傍に配設し、モニターマイクロフォンをスピーカより排気ダクトに近い第二区画の排気ダクト接続部近傍に配設したことにより、騒音低減効果を向上させるものである。
【００８９】
また、センサーマイクロフォンを第三区画の騒音源例えば圧縮機近傍に配設し、スピーカをセンサーマイクロフォンより排気ダクトに近い第二区画の換気ファン吸込口近傍に配設し、モニターマイクロフォンをスピーカより排気ダクトに近い第二区画の排気ダクト接続部近傍に配設したことにより、騒音低減効果を向上させるものである。
【００９０】
また、センサーマイクロフォンを第一区画の騒音源例えば循環ファン近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことにより、騒音低減効果を向上させるものである。
【００９１】
また、センサーマイクロフォンを第一区画の騒音源例えば循環ファン近傍に配設し、スピーカをセンサーマイクロフォンより浴室に近い第一区画の循環ファン吹出口近傍に配設し、モニターマイクロフォンをスピーカより浴室に近い第一区画の本体グリル表面近傍に配設したことにより、騒音低減効果を向上させるものである。
【００９２】
また、センサーマイクロフォンを第一区画の騒音源近傍に配設し、スピーカをセンサーマイクロフォンより浴室に近い第一区画の循環ファン吸込口近傍に配設し、モニターマイクロフォンをスピーカより浴室に近い第一区画の本体グリル表面近傍に配設したことにより、騒音低減効果を向上させるものである。
【００９３】
また、センサーマイクロフォンを第二区画の騒音源近傍に配設し、スピーカをセンサーマイクロフォンより浴室に近い位置や排気ダクトに近い位置に配設し、騒音源より発生した音がスピーカから発音された逆位相の音により低減されたことを確認するとともにアクティブノイズコントローラからスピーカへの出力を補正するためのモニターマイクロフォンをスピーカより浴室に近い位置や排気ダクトに近い位置に配設したことにより、騒音低減効果を向上させるものである。
【００９４】
また、センサーマイクロフォンを第二区画の騒音源近傍に配設し、スピーカをセンサーマイクロフォンより浴室に近い第二区画の換気ファン吸込口近傍に配設し、モニターマイクロフォンをスピーカより浴室に近い第二区画の本体グリル表面近傍に配設したことにより、騒音低減効果を向上させるものである。
【００９５】
また、センサーマイクロフォンを第二区画の騒音源近傍に配設し、スピーカをセンサーマイクロフォンより排気ダクトに近い第二区画の換気ファン吹出口近傍に配設し、モニターマイクロフォンをスピーカより排気ダクトに近い第二区画の排気ダクト接続部近傍に配設したことにより、騒音低減効果を向上させるものである。
【００９６】
また、センサーマイクロフォンを第二区画の騒音源近傍に配設し、スピーカをセンサーマイクロフォンより排気ダクトに近い第二区画の換気ファン吸込口近傍に配設し、モニターマイクロフォンをスピーカより排気ダクトに近い第二区画の排気ダクト接続部近傍に配設したことにより、騒音低減効果を向上させるものである。
【００９７】
また、本体内の上方に圧縮機、第一熱交換器、循環ファン、第二熱交換器、換気ファン等の冷凍サイクル部品および送風手段を配設し、本体内下方にダクトのような空間を設けてセンサーマイクロフォン、スピーカおよびモニターマイクロフォンを配設することにより、騒音低減効果を向上させるものである。
【００９８】
また、循環ファンによる吸込み、吹出しおよび換気ファンによる吸込み、吹出しに送風ダクトを用いた風路構成であり、ダクト内にセンサーマイクロフォン、スピーカおよびモニターマイクロフォンを配設することにより、騒音低減効果を向上させるものである。
【００９９】
また、圧縮機の運転周波数より圧縮機から発せられる音を推定し、推定される音の逆位相の電気信号を発生させるとともにスピーカへ出力するアクティブノイズコントローラを備えたことにより、センサーマイクロフォンが不要となり、構成を簡単にすることができるものである。
【０１００】
また、ファンモータの回転数よりファンから発せられる音を推定し、推定される音の逆位相の電気信号を発生させるとともにスピーカへ出力するアクティブノイズコントローラを備えたことにより、センサーマイクロフォンが不要となり、構成を簡単にすることができるものである。
【０１０１】
また、浴室内の既存の発音可能な設備例えばテレビ等と連動し、アクティブノイズコントローラよりセンサーマイクロフォンで検出した騒音の逆位相の電気信号を既存設備のスピーカへ出力し発音することにより、本体内にスピーカを収納する必要がなくなり、構成を簡単にすることができるものである。
【０１０２】
以下、本発明の実施の形態について図面に基づいて説明する。
【０１０３】
（実施の形態１）
図１は、本発明の実施の形態１にかかる換気空調装置が設置される居住空間の見取り図である。図１において、居住空間１は、リビング２、浴室３、脱衣室４、トイレ５などに区画されており、浴室３の天井裏には、換気空調装置の本体６が設置されている。この本体６には、本体６と屋外を連通する排気ダクト７、脱衣室４の天井に開口した排気口８と本体６とを連通する排気ダクト９およびトイレ５の天井に開口した排気口１０と本体６とを連通する排気ダクト１１が接続されている。また、本体６内部には換気ファン１２が配設されており、屋外と本体６を連通する排気ダクト７は換気ファン１２の吹出側に接続され、脱衣室４と本体６を連通する排気ダクト９およびトイレ５と本体６を連通する排気ダクト１１は換気ファン１２の吸込側に接続されている。したがって換気ファン１２を運転すると、排気口８および排気口１０から排気ダクト９および排気ダクト１１を通じて脱衣室４およびトイレ５の空気が換気ファン１２に吸い込まれ、排気ダクト７を通じて屋外に排出される。そして換気ファン１２を連続運転すると居住空間１内が負圧になるため、リビング２の屋外に面した壁に開口した吸気口１３から新鮮な外気が給気されて居住空間１が換気されることになる。この換気運転は建物の気密性が高い場合は連続して行う必要があるため（２４時間換気）、換気ファン１２は所定の換気量、例えば一時間で居住空間１の約半分の容積に相当する換気量を確保するように連続運転を行う。また、リビング２には部屋の温度をコントロールするための空調機１４が設置されており、夏場は冷房運転、冬場は暖房運転を行って室温を適正に保持している。したがって前述したように年間を通じて連続した換気運転を行っていると、夏場はリビング２において空調機１４で冷房された低温の空気、冬場は空調機１４で暖房された高温の空気が脱衣室４のドア１５およびトイレ５のドア１６のガラリやアンダーカット部分を通じて排気口８および排気口１０に吸い込まれ、換気空調装置の本体６を介して屋外に排出されることになる。
【０１０４】
図２は、換気空調装置の風路構成図及び冷媒回路図及び本体区画図およびセンサーマイクロフォン、スピーカおよびモニターマイクロフォンの配置図であり、図に示すように浴室３の天井裏に換気空調装置の本体６が設置されており、本体６の底部に浴室の天井面に対して着脱可能な本体グリル１７を配設し吸込口１８および吹出口１９を開口するとともに吸込口１８に着脱自在に塵埃を捕捉するためのフィルター２０を配設している。また、本体６内部には吸込口１８と吹出口１９を連通する循環通路２１が形設されており、この循環通路２１内に吸込口１８から浴室３の空気を吸い込んで吹出口１９から吹き出す循環ファン２２が配設されている。また、循環通路２１の吹出口１９近傍には、循環ファン２２が送風する空気の少なくとも一部を加熱する輻射式の補助ヒーター２３が設けられており、この補助ヒーター２３は放出する輻射熱が浴室３内に放散するように配設されている。また、本体６内部には吸込口１８と換気ファン１２の吸込側を連通する換気通路２４も形成しており、この換気通路２４に脱衣室４と連通している排気ダクト９およびトイレ５と連通している排気ダクト１１が接続されている。さらに換気通路２４内の吸込口１８と換気ファン１２の吸込側とを連通する経路中にダンパー機構を有して通路を開閉する開閉装置２５を配設している。したがって換気ファン１２が運転されている場合に開閉装置２５を開放状態に設定すると吸込口１８と排気ダクト９および排気ダクト１１から本体６内に空気が吸い込まれ、また、開閉装置２５を閉鎖状態に設定すると排気ダクト９と排気ダクト１１から空気が吸い込まれることになる。このようにして換気ファン１２に吸い込まれた空気は、換気ファン１２の吹出側に接続されている排気ダクト７を通じて屋外に排出されることになる。
【０１０５】
また、本体６内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路２６を形設しており、この冷媒回路２６中に、冷媒を圧縮する圧縮機２７、供給空気と冷媒とを熱交換させる第一熱交換器２８、冷媒を膨張させる電子式膨張弁からなる膨張機構２９、供給空気と冷媒とを熱交換させる第二熱交換器３０を介設している。この冷媒回路２６には、圧縮機２７で圧縮された冷媒が第一熱交換器２８、膨張機構２９、第二熱交熱交換器３０の順に流れて再び圧縮機２７に戻る経路（以下、暖房サイクル）と、圧縮機２７で圧縮された冷媒が第二熱交換器３０、膨張機構２９、第一熱交熱交換器２８の順に流れて再び圧縮機２７に戻る経路（以下、冷房サイクル）とを切り換えるための流路切換弁３１が介設されている。また、冷媒回路２６には、流路切換弁３１と第一熱交換器２８を結ぶ配管中から分岐して膨張機構２９と第二熱交換器３０を結ぶ配管中に合流するバイパス回路３２と、第一熱交換器２８と膨張機構２９を結ぶ配管中から分岐して第二熱交換器３０と流路切換弁３１を結ぶ配管中に合流するバイパス回路３３を配管しており、バイパス回路３２中に開閉弁３４を介設するとともにバイパス回路３３中に開閉弁３５および冷媒加熱手段３６を介設している。
【０１０６】
また、第一熱交換器２８は、循環通路２１内に配設されており、第二熱交換器３０は、換気通路２４内の換気ファン１２の吸込側に配設されている。したがって第一熱交換器２８においては循環ファン２２により循環する浴室３の空気に対して冷媒が放熱（または吸熱）を行い、第二熱交換器３０においては換気ファン１２により屋外に排出される空気に対して冷媒が吸熱（もしくは放熱）を行うことになる。また、第一熱交換器２８の冷媒が流れる配管中には開閉弁３７とキャピラリーチューブ３８で構成される減圧手段３９を介設しており、第一熱交換器２８は、流路切換弁３１が冷媒の流れ方向を実線の矢符で示す方向、即ち暖房サイクルに切り換えた場合に循環ファン２２により循環する浴室３の空気が第一熱交換器２８の減圧手段３９の下流側を流れる冷媒と熱交換した後に減圧手段３９の上流側を流れる冷媒と熱交換を行うように形設されている。さらに換気通路２４内の第二熱交換器３０の風上側には自己温度制御性を有する予熱ヒーター４０が配設されており、この予熱ヒーター４０を作動させると換気通路２４に吸い込まれた脱衣室４の空気やトイレ５の空気もくしは浴室３の空気を予め加熱して第二熱交換器３０に供給することができる。
【０１０７】
また、本体６内にアクティブノイズコントローラ４１が配設されており、本体６を第一熱交換器２８および循環ファン２２などを含む第一区画４２と第二熱交換器３０および換気ファン１２などを含む第二区画４３と圧縮機２７および膨張機構２９などを含む第三区画４４に分割し、第三区画４４の騒音源例えば圧縮機２７などの近傍にセンサーマイクロフォン４５を配設し、騒音源より浴室に近い本体６の底部にスピーカ４６を配設し、さらにスピーカより浴室に近い本体グリル１７の表面にモニターマイクロフォン４７が配設されており、センサーマイクロフォン４５で検出した騒音の電気信号がアクティブノイズコントローラ４１へ入力され検出された騒音の電気信号と逆位相の電気信号がスピーカ４６に出力され、スピーカ４６より騒音源例えば圧縮機２７近傍の騒音と逆位相の音を発音し、モニターマイクロフォン４７で検出した騒音がセンサーマイクロフォン４５で検出した騒音に対して低減されたことを確認するとともに、十分に低減されていない場合はアクティブノイズコントローラ４１にてスピーカ４６への出力を補正することにより第三区画４４から発生し浴室３内へ伝播する騒音を低減することができ、浴室３内の騒音を低減することができる。
【０１０８】
同様にアクティブノイズコントローラ４１と第三区画４４の騒音源例えば圧縮機２７近傍のセンサーマイクロフォン４５と第一区画４２の騒音源例えば循環ファン２２近傍のセンサーマイクロフォン４８と第二区画４３の騒音源例えば換気ファン１２近傍のセンサーマイクロフォン４９と本体６底部のスピーカ４６と循環ファン２２の吹出口１９近傍のスピーカ５０と循環ファン２２の吸込口１８近傍のスピーカ５１と換気ファン１２の吹出口近傍のスピーカ５２と換気ファン１２の吸込口近傍のスピーカ５３、５４、５５と本体グリル１７表面近傍のモニターマイクロフォン４７と循環ファン２２の吹出口１９より浴室３側の本体グリル１７表面近傍のモニターマイクロフォン５６と循環ファン２２の吸込口１８より浴室３側の本体グリル１７表面近傍のモニターマイクロフォン５７と換気ファン１２と排気ダクト７との接続部近傍のモニターマイクロフォン５８と換気ファン１２と排気ダクト９との接続部近傍のモニターマイクロフォン５９と換気ファン１２と排気ダクト１１との接続部近傍のモニターマイクロフォン６０と換気ファン１２の吸込口１８より浴室３側の本体グリル１７表面近傍のモニターマイクロフォン６１を任意に組み合わせることにより各区画の騒音源より発せられる騒音の浴室３内や排気ダクト７、９、１１への伝播を低減することができ、機器の騒音を低減することができる。図３にマイクロフォン及びスピーカの配置表を示す。
【０１０９】
図３に基づきその他の組み合わせについて下記に述べる。
【０１１０】
アクティブノイズコントローラ４１とセンサーマイクロフォン４５とスピーカ５０とモニターマイクロフォン５６を用いた同様の構成とすることにより、第三区画４４から発生し浴室３内へ伝播する騒音を低減することができ、浴室３内の騒音を低減することができる。
【０１１１】
また、アクティブノイズコントローラ４１とセンサーマイクロフォン４５とスピーカ５１とモニターマイクロフォン５７を用いた同様の構成とすることにより、第三区画４４から発生し浴室３内へ伝播する騒音を低減することができ、浴室３内の騒音を低減することができる。
【０１１２】
また、アクティブノイズコントローラ４１とセンサーマイクロフォン４５とスピーカ５２とモニターマイクロフォン５８を用いた同様の構成とすることにより、第三区画４４から発生し排気ダクト７へ伝播する騒音を低減することがき、屋外への排気騒音を低減することができる。
【０１１３】
また、アクティブノイズコントローラ４１とセンサーマイクロフォン４５とスピーカ５３とモニターマイクロフォン５９を用いた同様の構成とすることにより、第三区画４４から発生し排気ダクト９へ伝播する騒音を低減することができ、脱衣室４の騒音を低減することができる。
【０１１４】
また、アクティブノイズコントローラ４１とセンサーマイクロフォン４５とスピーカ５４とモニターマイクロフォン６０を用いた同様の構成とすることにより、第三区画４４から発生し排気ダクト１１へ伝播する騒音を低減することがき、トイレ５の騒音を低減することができる。
【０１１５】
また、アクティブノイズコントローラ４１とセンサーマイクロフォン４８とスピーカ５０とモニターマイクロフォン５６を用いた同様の構成とすることにより、第一区画４２から発生し浴室３内へ伝播する騒音を低減することができ、浴室３内の騒音を低減することができる。
【０１１６】
また、アクティブノイズコントローラ４１とセンサーマイクロフォン４８とスピーカ５１とモニターマイクロフォン５７を用いた同様の構成とすることにより、第一区画４２から発生し浴室３内へ伝播する騒音を低減することができ、浴室３内の騒音を低減することができる。
【０１１７】
また、アクティブノイズコントローラ４１とセンサーマイクロフォン４９とスピーカ５５とモニターマイクロフォン６１を用いた同様の構成とすることにより、第二区画４３から発生し浴室３内へ伝播する騒音を低減することができ、浴室３内の騒音を低減することができる。
【０１１８】
また、アクティブノイズコントローラ４１とセンサーマイクロフォン４９とスピーカ５２とモニターマイクロフォン５８を用いた同様の構成とすることにより、第二区画４３から発生し排気ダクト７へ伝播する騒音を低減することができ、屋外への排気騒音を低減することができる。
【０１１９】
また、アクティブノイズコントローラ４１とセンサーマイクロフォン４９とスピーカ５３とモニターマイクロフォン５９を用いた同様の構成とすることにより、第二区画４３から発生し排気ダクト９へ伝播する騒音を低減することができ、脱衣室４の騒音を低減することができる。
【０１２０】
また、アクティブノイズコントローラ４１とセンサーマイクロフォン４９とスピーカ５４とモニターマイクロフォン６０を用いた同様の構成とすることにより、第二区画４３から発生し排気ダクト１１へ伝播する騒音を低減することができ、トイレ５の騒音を低減することができる。
【０１２１】
また、アクティブノイズコントローラではダクトのような騒音の伝播方向が限られた閉空間の方が効果的に騒音を低減できるため、本体６内の上方に換気ファン１２、循環ファン２２、などの送風装置および冷媒回路２６、圧縮機２７、第一熱交換器２８、膨張機構２９、第二熱交換器３０、などの冷凍サイクル部品を配設し、本体下方に空間を作ることにより、本体内の騒音源から浴室までを擬似的にダクトのような空間とし、その空間内にセンサーマイクロフォン４５、４８、４９およびスピーカ４６、５０、５１、５５およびモニターマイクロフォン４７、５６、５７、６１を配設することにより、本体６内の騒音源より発せられる騒音の浴室３内への伝播を効果的に低減することができ、浴室３内の騒音を低減することができる。
【０１２２】
また、第三区画４４の騒音源である圧縮機２７の運転周波数をアクティブノイズコントローラ４１で検出し、運転周波数に応じた圧縮機２７の騒音を推定し、推定された圧縮機２７の騒音と逆位相の電気信号がスピーカ４６またはスピーカ５０またはスピーカ５１またはスピーカ５２またはスピーカ５３またはスピーカ５４またはスピーカ５５に出力され、各スピーカより圧縮機２７の騒音と逆位相の音を発音することにより、センサーマイクロフォン４５を用いることなく、圧縮機２７から発生し浴室３内または排気ダクト７または排気ダクト９または排気ダクト１１へ伝播する騒音を低減することができ、浴室３内または排気ダクト７または排気ダクト９または排気ダクト１１の騒音を低減することができる。
【０１２３】
また、第一区画４２の騒音源である循環ファン２２の回転数や第二区画４３の騒音源である換気ファン１２の回転数をアクティブノイズコントローラ４１で検出し、回転数に応じたの各ファンの騒音を推定し、推定された各ファンの騒音と逆位相の電気信号がスピーカ４６またはスピーカ５０またはスピーカ５１またはスピーカ５２またはスピーカ５３またはスピーカ５４またはスピーカ５５に出力され、各スピーカより各ファンの騒音と逆位相の音を発音することにより、センサーマイクロフォン４８、４９を用いることなく、各ファンから発生し浴室３内または排気ダクト７または排気ダクト９または排気ダクト１１へ伝播する騒音を低減することができ、浴室３内または屋外への排気または脱衣室４またはトイレ５の騒音を低減することができる。
【０１２４】
以上、説明した構成および動作により、本実施形態の換気空調装置は、以下の効果を相するものである。
【０１２５】
換気空調装置内部に冷媒回路を構成する圧縮機２７、第一熱交換器２８、膨張機構２９、第二熱交換器３０をすべて収納し、省スペース化や施工性の向上を図ることができるとともに、本体を第一熱交換器２８および循環ファン２２などを収納する第一区画４２と、第二熱交換器３０および換気ファン１２などを収納する第二区画４３と、圧縮機２７および冷媒回路２６および膨張機構２９などを収納する第三区画４４に分割し、センサーマイクロフォン４５を第三区画４４の騒音源例えば圧縮機２７近傍に配設し、スピーカ４６をセンサーマイクロフォン４５より浴室３に近い位置例えば本体６の底面に配設し、騒音源例えば圧縮機２７より発生した音がスピーカ４６から発音された逆位相の音により低減されたことを確認するとともにアクティブノイズコントローラ４１からスピーカ４６への出力を補正するためのモニターマイクロフォン４７をスピーカ４６より浴室３に近い位置例えば第一区画４２の本体グリル１７表面近傍に配設したことにより、騒音源から浴室３内へ伝播する騒音を消音することができ、機器の騒音低減を図ることができる。
【０１２６】
また、アクティブノイズコントローラ４１を備え、センサーマイクロフォン４５を第三区画４４の騒音源例えば圧縮機２７近傍に配設し、スピーカ５０をセンサーマイクロフォン４５より浴室３に近い第一区画４２の循環ファン２２の吹出口１９近傍に配設し、モニターマイクロフォン５６をスピーカ５０より浴室３に近い第一区画４２の本体グリル１７表面近傍に配設した同様の構成を用いることにより、浴室３内の騒音を低減することができる。
【０１２７】
また、アクティブノイズコントローラ４１を備え、センサーマイクロフォン４５を第三区画４４の騒音源例えば圧縮機２７近傍に配設し、スピーカ５１をセンサーマイクロフォン４５より浴室３に近い第一区画４２の循環ファン２２の吸込口１８近傍に配設し、モニターマイクロフォン５７をスピーカ５１より浴室３に近い第一区画４２の本体グリル１７表面近傍に配設した同様の構成を用いることにより、浴室３内の騒音を低減することができる。
【０１２８】
また、アクティブノイズコントローラ４１を備え、センサーマイクロフォン４５を第三区画４４の騒音源例えば圧縮機２７近傍に配設し、スピーカ５２をセンサーマイクロフォン４５より排気ダクト７に近い第二区画４３の換気ファン１２の吹出口近傍に配設し、モニターマイクロフォン５８をスピーカ５２より排気ダクト７に近い第二区画４３の排気ダクト７接続部近傍に配設した同様の構成を用いることにより、屋外への排気騒音を低減させることができる。
【０１２９】
また、アクティブノイズコントローラ４１を備え、センサーマイクロフォン４５を第三区画４４の騒音源例えば圧縮機２７近傍に配設し、スピーカ５３をセンサーマイクロフォン４５より排気ダクト９に近い第二区画４３の換気ファン１２の吸込口近傍に配設し、モニターマイクロフォン５９をスピーカ５３より排気ダクト９に近い第二区画４３の排気ダクト９接続部近傍に配設した同様の構成を用いることにより、脱衣室４の騒音を低減させることができる。
【０１３０】
また、アクティブノイズコントローラ４１を備え、センサーマイクロフォン４５を第三区画４４の騒音源例えば圧縮機２７近傍に配設し、スピーカ５４をセンサーマイクロフォン４５より排気ダクト１１に近い第二区画４３の換気ファン１２の吸込口近傍に配設し、モニターマイクロフォン６０をスピーカ５４より排気ダクト１１に近い第二区画４３の排気ダクト１１接続部近傍に配設した同様の構成を用いることにより、トイレ５の騒音を低減させることができる。
【０１３１】
また、アクティブノイズコントローラ４１を備え、センサーマイクロフォン４８を第一区画４２の騒音源例えば循環ファン２２近傍に配設し、スピーカ５０をセンサーマイクロフォン４８より浴室３に近い第一区画４２の循環ファン２２の吹出口１９近傍に配設し、モニターマイクロフォン５６をスピーカ５０より浴室３に近い第一区画４２の本体グリル１７表面近傍に配設したことにより、浴室３内の騒音を低減することができる。
【０１３２】
また、アクティブノイズコントローラ４１を備え、センサーマイクロフォン４８を第一区画４２の騒音源例えば循環ファン２２近傍に配設し、スピーカ５１をセンサーマイクロフォン４８より浴室３に近い第一区画４２の循環ファン２２の吸込口１８近傍に配設し、モニターマイクロフォン５７をスピーカ５１より浴室３に近い第一区画４２の本体グリル１７表面近傍に配設したことにより、浴室３内の騒音を低減することができる。
【０１３３】
また、アクティブノイズコントローラ４１を備え、センサーマイクロフォン４９を第二区画４３の騒音源例えば換気ファン１２近傍に配設し、スピーカ５５をセンサーマイクロフォン４９より浴室３に近い第二区画４３の換気ファン１２の吸込口１８近傍に配設し、モニターマイクロフォン６１をスピーカ５５より浴室３に近い第二区画４３の本体グリル１７表面近傍に配設したことにより、浴室３内の騒音を低減することができる。
【０１３４】
また、アクティブノイズコントローラ４１を備え、センサーマイクロフォン４９を第二区画４３の騒音源例えば換気ファン１２近傍に配設し、スピーカ５２をセンサーマイクロフォン４９より排気ダクト７に近い第二区画４３の換気ファン１２の吹出口近傍に配設し、モニターマイクロフォン５８をスピーカ５２より排気ダクト７に近い第二区画４３の排気ダクト７接続部近傍に配設した同様の構成を用いることにより、屋外への排気騒音を低減させることができる。
【０１３５】
また、アクティブノイズコントローラ４１を備え、センサーマイクロフォン４９を第二区画４３の騒音源例えば換気ファン１２近傍に配設し、スピーカ５３をセンサーマイクロフォン４９より排気ダクト９に近い第二区画４３の換気ファン１２の吸込口近傍に配設し、モニターマイクロフォン５９をスピーカ５３より排気ダクト９に近い第二区画４３の排気ダクト９接続部近傍に配設した同様の構成を用いることにより、脱衣室４の騒音を低減させることができる。
【０１３６】
また、アクティブノイズコントローラ４１を備え、センサーマイクロフォン４９を第二区画４３の騒音源例えば換気ファン１２近傍に配設し、スピーカ５４をセンサーマイクロフォン４９より排気ダクト１１に近い第二区画４３の換気ファン１２の吸込口近傍に配設し、モニターマイクロフォン６０をスピーカ５４より排気ダクト１１に近い第二区画４３の排気ダクト１１接続部近傍に配設した同様の構成を用いることにより、トイレ５の騒音を低減させることができる。
【０１３７】
（実施の形態２）
次に本発明の実施の形態２にかかる換気空調装置について説明する。
【０１３８】
なお、実施の形態１と同一の構成要素は同一の番号を付し詳細な説明は省略する。
【０１３９】
図４は、本発明の実施の形態２にかかるダクトを用いた換気空調装置の設置図及びマイクロフォン、スピーカの配置図及び浴室内に設置された既存の発音装置図である。図４において本体６は浴室３の空気を吸込みダクト６２を介して吸い込み、本体６内にて熱交換された後の空気を吹出しダクト６３を介して浴室３内へ吹き出す。また、本体６は脱衣室４およびトイレ５の空気を排気ダクト９、１１を介して吸い込み、排気ダクト７を介して屋外に吹き出す。このようなダクトを用いた設置において本体６内の騒音源６４に対し、騒音源６４近傍にセンサーマイクロフォン６５を配設し、吸込みダクト６２内にスピーカ６６を配設し、スピーカ６６よりも浴室３に近い吸込みダクト６２内にモニターマイクロフォン６７が配設されており、センサーマイクロフォン６５で検出した騒音の電気信号がアクティブノイズコントローラ４１へ入力され、検出された騒音の電気信号と逆位相の電気信号がスピーカ６６に出力され、スピーカ６６より騒音源６４近傍の騒音と逆位相の音を発音し、モニターマイクロフォン６７で検出した騒音がセンサーマイクロフォン６５で検出した騒音に対して低減されたことを確認するとともに、十分に低減されていない場合はアクティブノイズコントローラ４１にてスピーカ６６への出力を補正することにより騒音源６４から発生し浴室３内へ伝播する騒音を低減することができ、浴室３内の騒音を低減することができる。
【０１４０】
また、吹出しダクト６３に対しアクティブノイズコントローラ４１とセンサーマイクロフォン６５とスピーカ６８とモニターマイクロフォン６９を用いた同様の構成とすることにより、騒音源６４から発生し浴室３内へ伝播する騒音を低減することができ、浴室３内の騒音を低減することができる。
【０１４１】
また、排気ダクト７に対しアクティブノイズコントローラ４１とセンサーマイクロフォン６５とスピーカ７０とモニターマイクロフォン７１用いた同様の構成とすることにより、騒音源６４から発生し排気ダクト７へ伝播する騒音を低減することができ、排気ダクト７の騒音を低減することができ、屋外への排気騒音を低減することができる。
【０１４２】
また、排気ダクト９に対しアクティブノイズコントローラ４１とセンサーマイクロフォン６５とスピーカ７２とモニターマイクロフォン７３用いた同様の構成とすることにより、騒音源６４から発生し排気ダクト９へ伝播する騒音を低減することができ、脱衣室４の騒音を低減することができる。
【０１４３】
また、排気ダクト１１に対しアクティブノイズコントローラ４１とセンサーマイクロフォン６５とスピーカ７４とモニターマイクロフォン７５用いた同様の構成とすることにより、騒音源６４から発生し排気ダクト１１へ伝播する騒音を低減することができ、トイレ５の騒音を低減することができる。
【０１４４】
また、アクティブノイズコントローラ４１と浴室３内に設置されているテレビ７６などスピーカを備えた既存の設備とを接続し連動させることにより、センサーマイクロフォン６５で検出した騒音の電気信号がアクティブノイズコントローラ４１へ入力され、検出された騒音の電気信号と逆位相の電気信号が浴室３内に設置されているテレビ７６など既存の設備に付帯しているスピーカ７７に出力され、スピーカ７７より騒音源６４近傍の騒音と逆位相の音を発音することにより、浴室３内の騒音を低減することができる。
【０１４５】
以上、説明した構成および動作により、本実施形態の換気空調装置は、以下の効果を相するものである。
【０１４６】
アクティブノイズコントローラ４１を備え、センサーマイクロフォン６５を本体６内の騒音源６４近傍に配設し、スピーカ６６をセンサーマイクロフォン６５より浴室３に近い位置の吸込みダクト６２内に配設し、騒音源６４より発生した音がスピーカ６６から発音された逆位相の音により低減されたことを確認するとともにアクティブノイズコントローラ４１からスピーカ６６への出力を補正するためのモニターマイクロフォン６７をスピーカ６６より浴室３に近い位置の吸込みダクト６２内に配設したことにより、騒音源から吸込みダクト６２へ伝播する騒音を消音することができ、浴室３内の騒音を低減することができる。
【０１４７】
また、アクティブノイズコントローラ４１を備え、センサーマイクロフォン６５を本体６内の騒音源６４近傍に配設し、スピーカ６８をセンサーマイクロフォン６５より浴室３に近い位置の吹出しダクト６３内に配設し、騒音源６４より発生した音がスピーカ６８から発音された逆位相の音により低減されたことを確認するとともにアクティブノイズコントローラ４１からスピーカ６８への出力を補正するためのモニターマイクロフォン６９をスピーカ６８より浴室３に近い位置の吹出しダクト６３内に配設したことにより、騒音源から吹出しダクト６３へ伝播する騒音を消音することができ、浴室３内の騒音を低減することができる。
【０１４８】
また、アクティブノイズコントローラ４１を備え、センサーマイクロフォン６５を本体６内の騒音源６４近傍に配設し、スピーカ７０をセンサーマイクロフォン６５より屋外に近い位置の排気ダクト７内に配設し、騒音源６４より発生した音がスピーカ７０から発音された逆位相の音により低減されたことを確認するとともにアクティブノイズコントローラ４１からスピーカ７０への出力を補正するためのモニターマイクロフォン７１をスピーカ７０より屋外に近い位置の排気ダクト７内に配設したことにより、騒音源から排気ダクト７へ伝播する騒音を消音することができ、屋外への排気騒音を低減することができる。
【０１４９】
また、アクティブノイズコントローラ４１を備え、センサーマイクロフォン６５を本体６内の騒音源６４近傍に配設し、スピーカ７２をセンサーマイクロフォン６５より脱衣室４に近い位置の排気ダクト９内に配設し、騒音源６４より発生した音がスピーカ７２から発音された逆位相の音により低減されたことを確認するとともにアクティブノイズコントローラ４１からスピーカ７２への出力を補正するためのモニターマイクロフォン７３をスピーカ７２より脱衣室４に近い位置の排気ダクト９内に配設したことにより、騒音源から排気ダクト９へ伝播する騒音を消音することができ、脱衣室４の騒音を低減することができる。
【０１５０】
また、アクティブノイズコントローラ４１を備え、センサーマイクロフォン６５を本体６内の騒音源６４近傍に配設し、スピーカ７４をセンサーマイクロフォン６５よりトイレ５に近い位置の排気ダクト１１内に配設し、騒音源６４より発生した音がスピーカ７４から発音された逆位相の音により低減されたことを確認するとともにアクティブノイズコントローラ４１からスピーカ７４への出力を補正するためのモニターマイクロフォン７５をスピーカ７４よりトイレ５に近い位置の排気ダクト１１内に配設したことにより、騒音源から排気ダクト１１へ伝播する騒音を消音することができ、トイレ５の騒音を低減することができる。
【０１５１】
また、アクティブノイズコントローラ４１と浴室３内に設置されているテレビ７６などスピーカを備えた既存の設備とを接続し連動させることにより、センサーマイクロフォン６５で検出した騒音の電気信号がアクティブノイズコントローラ４１へ入力され、検出された騒音の電気信号と逆位相の電気信号が浴室３内に設置されているテレビ７６など既存の設備に付帯しているスピーカ７７に出力され、スピーカ７７より騒音源６４近傍の騒音と逆位相の音を発音することにより、本体６内や排気ダクト７、９、１１内や吸込みダクト６２内や吹出しダクト６３内などにスピーカを配設することなく、浴室３内の騒音を低減することができる。
【０１５２】
以上説明した内容は、発明を実施するための一形態についてのみ説明したものであり、本発明は上記実施の形態に限定されるものではない。
【０１５３】
例えば、上記実施の形態１では、騒音源は圧縮機２７と換気ファン１２と循環ファン２２としたが、騒音源はこれに限定されるものではない。例えばモーターやドレンポンプなども騒音源であり、同様の構成で騒音の低減が可能である。
【０１５４】
また、上記実施の形態１では、排気口を脱衣室４およびトイレ５の２箇所に開口する構成を示したが、排気口の開口位置および数はこれに限定されるものではない。例えばトイレ１箇所のみに排気口を開口する構成としても良い。
【０１５５】
また、上記実施の形態１では、本体６を第一区画４２と第二区画４３と第三区画４４に分割した形態としたが、本体６内の空間を特に仕切る必要はなく、センサーマイクロフォン４５、４８、４９、スピーカ４６、５０、５１、５２、５３、５４、５５、モニターマイクロフォン４７、５６、５７、５８、５９、６０、６１の位置も限定するものではない。本体６内の騒音源と騒音を低減したい空間との位置関係が明確であり、騒音源から騒音を低減したい空間までの間にセンサーマイクロフォン４５、４８、４９、スピーカ４６、５０、５１、５２、５３、５４、５５、モニターマイクロフォン４７、５６、５７、５８、５９、６０、６１の順に配置できれば良い。
【０１５６】
また、上記実施の形態１では、モニターマイクロフォン４７、５６、５７、５８、５９、６０、６１を用いて騒音源より発生した音がスピーカ４６、５０、５１、５２、５３、５４、５５から発音された逆位相の音により低減されたことを確認するとともにアクティブノイズコントローラ４１からスピーカ４６、５０、５１、５２、５３、５４、５５への出力を補正する構成を示したが、モニターマイクロフォン４７、５６、５７、５８、５９、６０、６１を用いない構成としても同様の消音効果を得ることができる。ただし、モニターマイクロフォン４７、５６、５７、５８、５９、６０、６１を用いてスピーカ４６、５０、５１、５２、５３、５４、５５への出力を補正した方がより効果的に消音することができるため、できればモニターマイクロフォン４７、５６、５７、５８、５９、６０、６１を使用する構成を推奨するものである。
【０１５７】
また、上記実施の形態２では、本体６内の騒音源を騒音源６４のみとした構成としたが、騒音源は一つに限定されるものではなく、各種騒音源を包括した記載とした。例えば圧縮機やファン、モーター、ポンプなどが騒音源である。
【０１５８】
また、上記実施の形態２では、テレビ７６のスピーカ７７を使用する形態としたが、アクティブノイズコントローラ４１から出力される騒音と逆位相の音を発音できる装置であれば良く、テレビ７６に限定されるものではない。例えば浴室内に既存のラジオのスピーカやステレオのスピーカを使用しても良い。
【産業上の利用可能性】
【０１５９】
以上のように本発明にかかる換気空調装置は、省スペース化と施工性の向上を図ることができ、また、本換気空調装置から発する騒音を低減することができるものである。
【図面の簡単な説明】
【０１６０】
【図１】本発明の実施の形態１に係る換気空調装置が設置されている居住空間の見取り図
【図２】同換気空調装置の風路構成図及び冷媒回路図及び本体区画図およびマイクロフォン、スピーカの配置図
【図３】同換気空調装置に配置されるマイクロフォン及びスピーカの配置を示す図
【図４】本発明の実施の形態２に係るダクトを用いた換気空調装置の設置図及びマイクロフォン、スピーカの配置図及び浴室内に設置された既存の発音装置図
【符号の説明】
【０１６１】
１    居住空間
２    リビング
３    浴室
４    脱衣室
５    トイレ
６    本体
７    排気ダクト
８    排気口
９    排気ダクト
１０  排気口
１１  排気ダクト
１２  換気ファン
１３  吸気口
１４  空調機
１５  ドア
１６  ドア
１７  本体グリル
１８  吸込口
１９  吹出口
２０  フィルター
２１  循環通路
２２  循環ファン
２３  補助ヒーター
２４  換気通路
２５  開閉装置
２６  冷媒回路
２７  圧縮機
２８  第一熱交換器
２９  膨張機構
３０  第二熱交換器
３１  流路切換弁
３２  バイパス回路
３３  バイパス回路
３４  開閉弁
３５  開閉弁
３６  冷媒加熱手段
３７  開閉弁
３８  キャピラリーチューブ
３９  減圧手段
４０  予熱ヒーター
４１  アクティブノイズコントローラ
４２  第一区画
４３  第二区画
４４  第三区画
４５  センサーマイクロフォン
４６  スピーカ
４７  モニターマイクロフォン
４８  センサーマイクロフォン
４９  センサーマイクロフォン
５０  スピーカ
５１  スピーカ
５２  スピーカ
５３  スピーカ
５４  スピーカ
５５  スピーカ
５６  モニターマイクロフォン
５７  モニターマイクロフォン
５８  モニターマイクロフォン
５９  モニターマイクロフォン
６０  モニターマイクロフォン
６１  モニターマイクロフォン
６２  吸込みダクト
６３  吹出しダクト
６４  騒音源
６５  センサーマイクロフォン
６６  スピーカ
６７  モニターマイクロフォン
６８  スピーカ
６９  モニターマイクロフォン
７０  スピーカ
７１  モニターマイクロフォン
７２  スピーカ
７３  モニターマイクロフォン
７４  スピーカ
７５  モニターマイクロフォン
７６  テレビ
７７  スピーカ
【図１】
2008232493.tif 000003
【図２】
2008232493.tif 000004
【図３】
2008232493.tif 000005
【図４】
2008232493.tif 000006